(57)【要約】【課題】被梱包物を保護しつつ、被梱包物を梱包箱から取り出す際に握り手に掛かる被梱包物の重量負荷を軽減し、尚且つ緩衝材を削減する。【解決手段】本発明に係る収容袋６は、梱包箱３に梱包される画像形成装置１を収容する収容袋６であって、画像形成装置１を収容する袋本体１２と、当該袋本体１２の上部に連結される一対の取手部１３と、を備え、当該取手部１３の内側には、流体が充填された緩衝部１５を設けたことを特徴とする。【選択図】図１
2013249091.tif 000002
【特許請求の範囲】
【請求項１】
梱包箱に梱包される被梱包物を収容する収容袋であって、
前記被梱包物を収容する袋本体と、当該袋本体に連結される取手部と、を備え、当該取手部には、流体が充填された緩衝部を設けたことを特徴とする収容袋。
【請求項２】
前記取手部は、前記袋本体に一対設けられると共に、前記緩衝部は、前記取手部の内側に取り付けられていることを特徴とする請求項１に記載の収容袋。
【請求項３】
前記被梱包物は略直方体形状であり、前記被梱包物は緩衝材により支持され、前記被梱包物の各側面と対向する前記梱包箱の壁面との間には所定の隙間が形成されており、前記取手部は前記隙間の空間に収容可能であることを特徴とする請求項１又は請求項２に記載の収容袋。
【発明の詳細な説明】
【技術分野】
【０００１】
本発明は、運搬時や保管時に被梱包物を保護するための収容袋に関する。
【背景技術】
【０００２】
従来、例えば、プリンター、複写機、ファクシミリ、複合機等の画像形成装置やこの画像形成装置を構成する部品等の被梱包物を運搬或いは保管するために、梱包材を備えている。図３に示す梱包材５０は、被梱包物５１を梱包する梱包箱５２と、この梱包箱５２と被梱包物５１の四隅の間に介装される合計４個の緩衝材５３と、を備えている。
【０００３】
さらに、上記した梱包材は、被梱包物を収容する収容袋を備えることもある。この収容袋には、被梱包物を梱包箱から取り出す際に把持される取手部が設けられている。この種の取手部を設けた収容袋としては、例えば、スーパー等で配布される買物用のレジ袋等が周知である（例えば、特許文献１及び特許文献２参照）。
【０００４】
また、他の梱包材としては、複数の長尺な流体充填部を無端状に連接した円筒状の梱包具本体を備え、被梱包物を梱包具本体の中に入れて保護する梱包材が周知である（例えば、特許文献３参照）
【先行技術文献】
【特許文献】
【０００５】
【特許文献１】特開２００８−２３９３４２号公報
【特許文献２】特開２０１０−１１６２０７号公報
【特許文献３】特開２００５−３０６４５６号公報
【発明の概要】
【発明が解決しようとする課題】
【０００６】
ところが、上記の如く構成された特許文献１及び特許文献２に記載されたレジ袋では、取手部を把持して収容物が収容された袋を持ち上げると、収容物の重量によって取手部は幅方向に折り重なることで幅が狭くなるため、幅の狭くなった取手部が手の平の一部に食い込んでしまう問題があった。また、特許文献３に記載された梱包材は、梱包具本体に帯状の取手部を設けており、この取手部には握り手に掛かる被梱包物の重量負荷を軽減する工夫がなされていないため、取手部を把持して被梱包物が収容された梱包材を持ち上げると、手の平の一部に被梱包物の重量負荷が隔たって掛かる問題があった。
【０００７】
そこで、本発明は、例えば上述したような問題に鑑みなされたものであり、本発明の課題は、被梱包物を保護しつつ、被梱包物を収容した収容袋を持ち上げる際に握り手に掛かる被梱包物の重量負荷を軽減し、尚且つ緩衝材を削減することが可能な保護袋を提供することを目的とする。
【課題を解決するための手段】
【０００８】
上記課題を解決するために、本発明は、梱包箱に梱包される被梱包物を収容する収容袋であって、前記被梱包物を収容する袋本体と、当該袋本体に連結される取手部と、を備え、当該取手部には、流体が充填された緩衝部を設けたことを特徴とする。
【０００９】
上記構成によれば、被梱包物を梱包箱内に梱包すると、梱包箱と被梱包物との間に緩衝部が配置されるため、緩衝部によって被梱包物を保護することができる。また、取手部を把持して被梱包物を収容した収容袋を持ち上げる際には、緩衝部が撓むことで手の平と緩衝部との接触面積が増すため、握り手に掛かる被梱包物の重量負荷を軽減することができる。特に、梱包箱から被梱包物を収容した収容袋を取り出す際には、被梱包物を容易に取り出すことができる。さらにまた、梱包箱と被梱包物との間に緩衝材を介装する場合には、緩衝部が被梱包物と梱包箱との間に配置されるため、介装する緩衝材の量を削減することが可能となる。
【００１０】
また、前記取手部は、前記袋本体に一対設けられると共に、前記緩衝部は、前記取手部の内側に取り付けられていることが好ましい。
【００１１】
上記構成によれば、取手部を把持した際に、緩衝部が手の平に接触し易くすることが可能となる。
【００１２】
また、前記被梱包物は略直方体形状であり、前記被梱包物は緩衝材により支持され、前記被梱包物の各側面と対向する前記梱包箱の壁面との間には所定の隙間が形成されており、前記取手部は前記隙間の空間に収容可能であることが好ましい。
【００１３】
上記構成によれば、緩衝材とともに取手部の緩衝部が被梱包物を保護すると共に、開梱時に画像形成装置が転倒して破損したり、或いは作業者が怪我をしたりすることを防止することが可能となる。
【発明の効果】
【００１４】
上述した本発明によれば、被梱包物を保護しつつ、被梱包物を収容した収容袋を持ち上げる際に握り手に掛かる被梱包物の重量負荷を軽減し、尚且つ緩衝材を削減することができる。
【図面の簡単な説明】
【００１５】
【図１】本発明の実施の形態に係る梱包材を示す分解斜視図である。
【図２】本発明の実施の形態に係る画像形成装置が収容された梱包箱を開放させた状態を示す平面図である。
【図３】従来の梱包材を示す分解斜視図である。
【発明を実施するための形態】
【００１６】
以下、図面１及び図２を参照しつつ、本発明の実施の形態について説明する。なお、以下の説明では、被梱包物が、プリンター、複写機、ファクシミリ、複合機等の略直方体形状の画像形成装置１である場合について例示して説明する。
【００１７】
図１は本発明の実施の形態に係る梱包材を示す分解斜視図であり、図２は画像形成装置が収容された梱包箱を開放させた状態を示す平面図である。以下、便宜上、図１における右手前側を各部材の正面側として説明する。
【００１８】
梱包材２は、図１に示すように、画像形成装置１を収容する直方体形状の梱包箱３と、この梱包箱３と画像形成装置１の下部との間に介装される下部緩衝材４と、梱包箱３と画像形成装置１の上部との間に介装される上部緩衝材５と、被梱包物３を収容する袋状の収容袋６と、を備えている。
【００１９】
梱包箱３は、例えば、段ボール等のシート材を直方体形状に折り曲げることで形成されている。梱包箱３は、当該梱包箱３の側面を構成する本体部７と、この本体部７の下端に開閉可能に設けられる一対の底フラップ（図示せず）と、本体部７の上端に開閉可能に設けられる蓋フラップ８と、を備えている。
【００２０】
下部緩衝材４及び上部緩衝材５は、パルプモールドや発泡プラスチック製である。下部緩衝材４は、梱包箱３内に収容される画像形成装置１の右下方の縁１ａと左下方の縁１ｂそれぞれに配置され、ブロック形状の一部分に右下方の縁１ａ及び左下方の縁１ｂがそれぞれ嵌合可能な凹部９が形成された形状を有している。
【００２１】
一方、梱包箱３と画像形成装置１の上部との間に介装される上部緩衝材５は、梱包箱３内に収容される画像形成装置１の４箇所の上面角部１ｃに配置され、ブロック形状の一部分に上面角部１ｃが嵌合可能な凹部１０が形成された形状を有している。
【００２２】
これにより、梱包箱３の内部に収納される画像形成装置１の外周面１ｄと梱包箱３の内周面３ａとの間には、最小部分で３０ｍｍの隙間１１（図２参照）が形成されるようになっている。
【００２３】
収容袋６は、合成樹脂シート製の袋状を成し、画像形成装置１を収容する袋本体１２と、この袋本体１２に連結される取手部１３と、を備えている。
【００２４】
収容袋６の材質としては、加工の容易性や材料コスト、製品の保護性等からＰＰ、ＰＥ等のフィルムが好適である。本実施の形態の収容袋６は、ＰＥフィルムを用いており、梱包のし易さを考慮しながら画像形成装置１（例えば、６〜７Ｋｇ）の重量に応じて適切な厚みのフィルムを適宜選択することが可能である。
【００２５】
袋本体１２の上部には、画像形成装置１を出し入れするための開口１４が設けられている。さらに、収容袋６の上部には、左右に取手部１３が設けられている。取手部１３は、帯状に形成されており、両端が収容袋６の上縁に連結されている。このため、取手部１３は、中央部が袋本体１２から離れる方向に湾曲した弓形状を成している。この取手部１３の長さは、一人の作業者が画像形成装置１を収容した収容袋１３を持ち上げ易い長さに設定されている。
【００２６】
そして、左右一対の取手部１３それぞれの内側には、空気が充填された緩衝部１５が設けられている。緩衝部１５は、合成樹脂フィルムで形成された密閉された袋体であって、内部に空気が充填されることで形成される。緩衝部１５は、取手部１３よりも僅かに小さな弓形状を成している。
【００２７】
このような構成を有する収容袋６は、以下の方法で製造される。即ち、まず、チューブ状の合成樹脂シートを所定の長さにカットした後、カットした合成樹脂シートの下端をヒートシールする。次いで、下端が溶着された複数の合成樹脂シートを重合した状態で、上部を取手部１３の形状に沿って切断する。これにより、収容袋６の上部には、左右に取手部１３が形成される。
【００２８】
一方、これとは別工程で、合成樹脂フィルム等を袋状に成型すると共にエアガン等で内部に空気を充填することで、緩衝部１５が形成される。続いて、左右一対の取手部１３の内側に緩衝部１５をそれぞれヒートシールする。これにより、取手部１３の内側の略全域に緩衝部１５が取り付けられる。なお、緩衝部１５は、接着によって取手部１３に取り付けられても良い。
【００２９】
次に、上記した構成を備えた本発明の実施形態に係る梱包材２の使用方法について説明する。
【００３０】
まず、画像形成装置１を梱包箱３内に梱包するときは、蓋フラップ８を起立させた開放状態の梱包箱３内に下部緩衝材４を配置する。これとは別に、収容袋６内に開口１４から画像形成装置１を収容する。続いて、画像形成装置１が収容された収容袋６の取手部１３を把持して、梱包箱３内に上方から挿入する。その後、取手部１３から手を離すと、左右一対の取手部１３がそれぞれ内側に折り畳まれて、画像形成装置１の上面に載置される。次いで、図２に示すように、画像形成装置１の各上面角部１ｃに上部緩衝材５をそれぞれ配置する。最後に、各蓋フラップ８を内側に折り曲げて閉止した状態で、蓋フラップ８の先端同士に接着テープ等を貼付して、梱包箱３を封止する。これにより、上部緩衝材５が画像形成装置１の上面と蓋フラップ８との間に配置されて、梱包材２への画像形成装置１の梱包作業が完了する。
【００３１】
一方、画像形成装置１を梱包箱３から取り出すときは、蓋フラップ８に貼付された接着テープ等を切断し、蓋フラップ８を起立させて梱包箱３を開放状態にした上で、収容袋６の取手部１３を把持し、上方（図１の矢印Ｐ方向）に引っ張ると、収容袋５に収容されている画像形成装置１は収容袋６と共に上方に持ち上げられる。
【００３２】
また、この画像形成装置１の持ち上げ動作に伴い、画像形成装置１の４箇所の上面角部１ｃに配置された上部緩衝材５は画像形成装置１と一緒に持ち上げられ、起立姿勢の蓋フラップ８の上端を乗り越えて外側に落下する。
【００３３】
このように上記した本発明の実施の形態に係る収容袋６によれば、画像形成装置１を梱包した状態では、画像形成装置１の上面と梱包箱３の蓋フラップ８との間に緩衝部１５が配置されるため、緩衝部１５によって画像形成装置１を保護することができる。また、緩衝部１５が上部緩衝材５の一部として機能するため、上部緩衝材５の量を削減することが可能となる。
【００３４】
また、取手部１３を把持して画像形成装置１を収容した収容袋６を持ち上げる際には、緩衝部１５が撓むことで手の平と緩衝部１５との接触面積が増すため、握り手に掛かる画像形成装置１の重量負荷を軽減することができる。特に、梱包箱３から画像形成装置１を収容した収容袋６を取り出す際には、画像形成装置１を容易に取り出すことができる。
【００３５】
また、梱包箱３から画像形成装置１を収容した収容袋６を取り出す際に、蓋フラップ８を起立させて梱包箱３を開放状態にすると、画像形成装置の上面に載置された取手部１３を視認することができ、作業者が把持する箇所を認識し易くすることが可能となる。
【００３６】
なお、上記した実施形態では、画像形成装置１を被梱包物とした場合について説明したが、他の異なる実施形態では、画像形成装置１を構成する部品等を被梱包物としても良いし、他の電気製品や生活用品を被梱包物としても良い。
【００３７】
上記した実施形態では、緩衝部１５に空気を充填した場合について説明したが、他の異なる実施形態では、緩衝部１５にヘリュウムガスや窒素ガス等の気体や水等の液体を充填しても良い。
【００３８】
上記した実施形態では、取手部１３の内側の略全域に緩衝部１５を設けた場合について説明したが、他の異なる実施形態では、取手部１３の中央部のみに緩衝部１５を設けても良い。即ち、緩衝部１５は、取手部１３のうち、作業者が把持する部分に設けられていることが望ましい。
【００３９】
なお、上記した本発明の実施の形態の説明では、本発明に掛かる収容袋６の好適な実施の形態を説明しているため、収容袋６等の、形状、寸法、位置、方向、材質等において、技術的に好ましい種々の限定を付している場合もあるが、本発明の技術範囲は、特に本発明を限定する記載がない限り、これらの態様に限定されるものではない。即ち、上記した本発明の実施の形態における構成要素は適宜、既存の構成要素等との置き換えが可能であり、且つ、他の既存の構成要素との組み合わせを含む様々なバリエーションが可能であり、上記した本発明の実施の形態の記載をもって、特許請求の範囲に記載された発明の内容を限定するものではない。
【符号の説明】
【００４０】
１    画像形成装置（被梱包物）
３    梱包箱
４    下部緩衝材（緩衝材）
５    上部緩衝材（緩衝材）
６    収容袋
１２  袋本体
１３  取手部
１５  緩衝部
【図１】
2013249091.tif 000003
【図２】
2013249091.tif 000004
【図３】
2013249091.tif 000005